(57)【要約】【課題】アンロックボタンの操作感の低下や操作時の傾きを抑制しつつ省スペースを図る。【解決手段】ロック状態となっている撮影レンズ１９を取り外す場合、ボタン１２の操作部３５を押下操作すると、ボタン１２の駆動リブ３３はレンズアンロックピン１６の被駆動部４２を後方に駆動する。ピン１６はボタン１２に連動して後退し、レンズマウント１５の当接面から内側に引っ込み、撮影レンズ１９は非ロック状態となる。ボタン１２には４本の摺動部Ｓ１〜Ｓ４が操作部３５の投影面の外側に形成される。摺動部Ｓ１〜Ｓ４は、ボタン１２が前後方向に可動する際に前カバー補助部材２０のガイド部Ｇに動作がガイドされる部分である。そのうち第１の摺動部Ｓ１及び第２の摺動部Ｓ２は駆動リブ３３に近い側に位置し、駆動リブ３３を挟み上下に配置されている。【選択図】図４
2013246198.tif 000002
【特許請求の範囲】
【請求項１】
撮影レンズの交換が可能な撮像装置であって、
操作部及び駆動リブを有し、レンズマウントに取り付けられた撮影レンズをロック状態と非ロック状態とに切り換えるために前記操作部が押圧操作されることで進退可能なアンロックボタンと、
被駆動部を有すると共に突出方向に付勢され、前記ロック状態に対応して前記レンズマウントの貫通穴から突出する位置と前記非ロック状態に対応して前記貫通穴から突出しない位置とに進退可能で、前記アンロックボタンの前記駆動リブによって前記被駆動部が駆動されることで前記アンロックボタンの可動方向に連動して可動して前記突出しない位置に退くアンロックピンと、
外装部に固定された固定部材とを有し、
前記アンロックボタンは、可動する際に前記固定部材に対して摺動して動作をガイドされる複数の摺動部を有し、前記複数の摺動部は前記アンロックボタンの可動方向から見て前記操作部の投影面の外側に配置され、且つ、前記複数の摺動部のうち少なくとも第１の摺動部と第２の摺動部とは、前記可動方向から見て前記駆動リブを挟む位置に配置されることを特徴とする撮像装置。
【請求項２】
前記複数の摺動部のうち第３の摺動部が、前記可動方向から見て前記操作部よりも前記アンロックピンから遠い位置にあり、前記第３の摺動部の摺動長さは、前記可動方向において前記第１の摺動部及び前記第２の摺動部の摺動長さよりも短いことを特徴とする請求項１記載の撮像装置。
【請求項３】
前記第１の摺動部及び第２の摺動部はいずれも、前記可動方向から見て前記駆動リブ及び前記被駆動部が当接する当接部と前記操作部の軸中心とを結ぶ線分に略垂直な面内で前記固定部材に対して摺動することを特徴とする請求項１または２記載の撮像装置。
【請求項４】
前記第１の摺動部及び第２の摺動部はいずれも、前記可動方向と前記線分の双方に平行な面内においても前記固定部材に対して摺動することを特徴とする請求項３記載の撮像装置。
【請求項５】
前記アンロックボタンを突出方向に付勢するコイルスプリングを有し、前記コイルスプリングの軸中心が前記操作部の軸中心と略一致していることを特徴とする請求項１〜４のいずれか１項に記載の撮像装置。
【請求項６】
前記固定部材は、前記複数の摺動部に対応する複数のガイド部を有し、前記複数のガイド部は各々、対応する摺動部に対して前記操作部の軸中心を中心とした外側に配置されることを特徴とする請求項１〜５のいずれか１項に記載の撮像装置。
【発明の詳細な説明】
【技術分野】
【０００１】
本発明は、撮影レンズの交換が可能な撮像装置に関する。
【背景技術】
【０００２】
従来、撮影レンズが任意に交換可能ないわゆる一眼レフタイプの撮像装置が知られている。また、近年、撮影レンズの交換が可能な一眼カメラとして、小型化、薄型化のため撮影レンズを通して得られる像を光学ファインダに導くレフレックスミラーを備えないものも登場している。
【０００３】
ところで、レンズ取り付け装置としてレンズマウントから突出する可動のロックピンと外部から操作可能なアンロックボタンの機構とを備える構成が提案されている（特許文献１）。突出したロックピンによりロック状態とされた撮影レンズを非ロック状態に切り換えるために、アンロックボタンを押圧操作すると、ロックピンが連動して可動し、突出しない位置に退避する。
【０００４】
アンロックボタンは、安定動作や良好な操作感触の観点からは可動量を多くするほうが望ましい。その一方、撮像装置の薄型化のためには可動量をあまりに大きくすることは好ましくない。レフレックスミラーを備えない撮像装置では特に、薄型化を可能にしている利点を活かすために、大型化に繋がる要素は少なくしたい。
【先行技術文献】
【特許文献】
【０００５】
【特許文献１】特公昭６０−３９２１２号公報
【発明の概要】
【発明が解決しようとする課題】
【０００６】
図７を用いて従来の撮像装置における撮影レンズのロック機構部の構成を概説する。
【０００７】
図７は、従来の撮像装置におけるアンロックボタン及びロックピンの構成を示す斜視図である。
【０００８】
アンロックボタン１２の操作部３５が可動方向である押圧方向３４に押圧操作されると、駆動リブ３３がレンズアンロックピン１６の被駆動部４２を駆動して、レンズアンロックピン１６が連動して退避方向に移動する。アンロックボタン１２の摺動軸７１が嵌合板部７０に設けられた穴７０ａに摺動嵌合される。アンロックボタン１２と嵌合板部７０との間において、摺動軸７１の周りにアンロックボタンスプリング２１が巻装され、アンロックボタン１２が突出方向（押圧方向３４の反対方向）に付勢される。
【０００９】
外部から押圧操作可能なアンロックボタン１２は、撮影レンズをロックするレンズアンロックピン１６に連動しているため、レンズマウント周辺にアンロックボタン１２を配置しなければならない。摺動軸７１は操作部３５と軸中心が一致し、且つアンロックボタン１２を付勢するアンロックボタンスプリング２１も操作部３５の投影面内に配置されている。その結果、アンロックボタン１２の機構部は撮像装置の厚み方向（押圧方向３４）に多くの空間を必要とする。
【００１０】
仮にアンロックボタン１２の可動量を増加させようとすると、摺動軸７１とレンズアンロックピン１６の摺動軸１６ａを共に長く設計する必要がある。しかし、レフレックスミラーを備えない撮像装置は、アンロックボタン１２が突出する前カバーからシャッタユニット等の構造物までの距離が近いことで小型化が実現可能となっている。そのため、アンロックボタン１２の摺動軸７１及びレンズアンロックピン１６の摺動軸１６ａを長くすることは薄型化や省スペース化を困難にすることになる。
【００１１】
一方、摺動軸７１と穴７０ａとの摺動嵌合の長さが不十分となると、外部からの操作部３５の操作時にアンロックボタン１２に傾き・倒れ等の現象が発生し、動作が不安定となり操作感も損なわれる。
【００１２】
本発明は上記従来技術の問題を解決するためになされたものであり、その目的は、アンロックボタンの操作感の低下や操作時の傾きを抑制しつつ省スペースを図ることができる撮像装置を提供することにある。
【課題を解決するための手段】
【００１３】
上記目的を達成するために本発明は、撮影レンズの交換が可能な撮像装置であって、操作部及び駆動リブを有し、レンズマウントに取り付けられた撮影レンズをロック状態と非ロック状態とに切り換えるために前記操作部が押圧操作されることで進退可能なアンロックボタンと、被駆動部を有すると共に突出方向に付勢され、前記ロック状態に対応して前記レンズマウントの貫通穴から突出する位置と前記非ロック状態に対応して前記貫通穴から突出しない位置とに進退可能で、前記アンロックボタンの前記駆動リブによって前記被駆動部が駆動されることで前記アンロックボタンの可動方向に連動して可動して前記突出しない位置に退くアンロックピンと、外装部に固定された固定部材とを有し、前記アンロックボタンは、可動する際に前記固定部材に対して摺動して動作をガイドされる複数の摺動部を有し、前記複数の摺動部は前記アンロックボタンの可動方向から見て前記操作部の投影面の外側に配置され、且つ、前記複数の摺動部のうち少なくとも第１の摺動部と第２の摺動部とは、前記可動方向から見て前記駆動リブを挟む位置に配置されることを特徴とする。
【発明の効果】
【００１４】
本発明によれば、アンロックボタンの操作感の低下や操作時の傾きを抑制しつつ省スペースを図ることができる。
【図面の簡単な説明】
【００１５】
【図１】本発明の第１の実施の形態に係る撮像装置の斜視図、フロントベースユニットの構成を示す分解斜視図である。
【図２】撮像装置内のフロントカバーユニットの構成を示す分解斜視図である。
【図３】アンロックボタンの背面側の斜視図、上面図である。
【図４】前カバー補助部材に取り付けられたアンロックボタン及びその周辺を背面側から見た図である。
【図５】図４のＡ−Ａ線、Ｂ−Ｂ線に沿う断面図である。
【図６】第２の実施の形態におけるアンロックボタンの背面側の斜視図、前カバー補助部材に取り付けられたアンロックボタン及びその周辺を背面側から見た図である。
【図７】従来の撮像装置におけるアンロックボタン及びロックピンの構成を示す斜視図である。
【発明を実施するための形態】
【００１６】
以下、本発明の実施の形態を図面を参照して説明する。
【００１７】
（第１の実施の形態）
図１（ａ）は、本発明の第１の実施の形態に係る撮像装置の斜視図である。
【００１８】
この撮像装置１は、撮影レンズの交換が可能な一眼カメラとして構成される。レンズ交換可能であればよく、レフレックスミラーを備えるか否かは問わない。撮像装置１は、本体の上面に、電源ボタン１１、レリーズボタン１３、閃光装置等の撮影アクセサリを取り付けるアクセサリシュー１４を有する。交換用の撮影レンズ１９を取り付けるためのレンズマウント１５には貫通穴１５ａ（図１（ｂ）参照）が形成され、レンズアンロックピン１６が貫通穴１５ａから前方に突出している。前カバー１０からは、前後に進退可能なアンロックボタン１２の操作部３５が突出している。
【００１９】
レンズアンロックピン１６はアンロックボタン１２に連動して動作するようになっている。撮影レンズ１９をロック状態と非ロック状態とに切り換えるために操作部３５を押圧操作することでレンズアンロックピン１６が進退可能である。撮影者は撮像装置１のレンズマウント１５に取り付けられロック状態となっている撮影レンズ１９を取り外す場合、アンロックボタン１２の操作部３５を押圧操作する。アンロックボタン１２が後方に移動するのに連動し、レンズアンロックピン１６は、撮影レンズ１９が当接しているレンズマウント１５の当接面より内側に引っ込む（後方に退く）。これにより撮影レンズ１９は撮像装置１とのロックが解除されて非ロック状態となり、撮影者は撮影レンズ１９を取り外すことが可能となる。
【００２０】
以降、撮像装置１の本体を略直方体と見たとき、撮影レンズ１９が取り付けられる側を前側とし、アクセサリシュー１４が配置される側を上側とする。左右方向については、撮影者から見て呼称する。従って、レンズアンロックピン１６はレンズマウント１５の左部に位置し、アンロックボタン１２はレンズアンロックピン１６の左側の近傍に位置する。
【００２１】
以降、アンロックボタン１２を「ボタン１２」、レンズアンロックピン１６を「ピン１６」とそれぞれ略記することもある。
【００２２】
図１（ｂ）は、撮像装置１内のフロントベースユニットの構成を示す分解斜視図である。
【００２３】
フロントベースユニット１７は、レンズマウント１５、レンズマウントスプリング２６、レンズアンロックピンプレート２３、ピン１６、レンズ通信接点ユニット２５、フロントベース２７等を備える。
【００２４】
レンズマウント１５は撮影レンズ１９に設けられた取り付け面と当接する。レンズマウント１５には貫通穴１５ａが設けられており、貫通穴１５ａをピン１６が貫通する。ピン１６は、摺動軸１６ａ（図５（ａ）参照）の周りに巻装されたレンズアンロックピンスプリング２４によってレンズマウント１５から外観側に突出する方向（前方）に付勢されている。ピン１６は、撮影レンズ１９のロック状態に対応して貫通穴１５ａから突出する位置と、非ロック状態に対応して貫通穴１５ａから突出しない位置とに進退可能である。
【００２５】
レンズ通信接点ユニット２５は撮影レンズ１９と通信するための電気的な接点を有している。レンズアンロックピンプレート２３はレンズ通信接点ユニット２５に係止される。ピン１６はレンズ通信接点ユニット２５に摺動嵌合されている。撮影レンズ１９を光軸方向に付勢するレンズマウントスプリング２６は、レンズマウント１５とレンズ通信接点ユニット２５との間に配置されている。
【００２６】
レンズマウント１５とレンズ通信接点ユニット２５は撮像装置１の主たる構造体となるフロントベース２７に対し位置決めされ、ビス２８によって締結される。その結果、レンズ通信接点ユニット２５に摺動嵌合されているピン１６の外形とレンズマウント１５の貫通穴１５ａとの取り付け精度が良く、両者の間隙はピン１６の外周において均一となる。
【００２７】
撮影レンズ１９の取り付け部（不図示）は撮像装置１のマウント１５の内径と嵌合される。撮影レンズ１９がレンズマウントスプリング２６によって光軸方向に付勢されて撮影レンズ１９の取り付け面がレンズマウント１５に当接する。撮影レンズ１９の取り付け面に設けられた凹部（不図示）がピン１６によって係止される。よって、撮像装置１と撮影レンズ１９の取り付け位置が決まる。
【００２８】
図２は、撮像装置１内のフロントカバーユニットの構成を示す分解斜視図である。
【００２９】
フロントカバーユニット１８は、前カバー１０、前カバー補助部材２０、アンロックボタン１２、アンロックボタンスプリング２１、アンロックボタンプレート２２等を備える。
【００３０】
前カバー補助部材２０は、外装部の一部である前カバー１０に対して位置決め固定された固定部材である。前カバー補助部材２０は前カバー１０をカメラ本体に固定するための係止部２０ａを有している。ボタン１２は前カバー補助部材２０に摺動嵌合される。アンロックボタンスプリング２１はアンロックボタンプレート２２によってボタン１２とアンロックボタンプレート２２との間で保持され、ボタン１２を前カバー１０側（前側）に付勢する。
【００３１】
アンロックボタンプレート２２は前カバー補助部材２０に対しビス２９で固定される。ボタン１２を可動させる機構（アンロックボタンスプリング２１及びアンロックボタンプレート２２）は前カバー１０に保持される構成となっている。ボタン１２が摺動嵌合する前カバー補助部材２０は前カバー１０に位置決め固定されて精度良く取り付けられる。そのため、前カバー１０におけるボタン１２が取り付けられる穴とボタン１２の操作部３５の外形との間隙は、操作部３５の外周方向において均一となる。
【００３２】
最終的にフロントカバーユニット１８は、撮像装置１の本体に取り付けられることでフロントベースユニット１７との位置関係が決定される。
【００３３】
図３（ａ）は、アンロックボタン１２の背面側の斜視図である。図３（ｂ）は、アンロックボタン１２の上面図である。
【００３４】
前カバー１０より突出する操作部３５は円筒形状となっている（図１（ａ）も参照）。ボタン１２のうち、前カバー１０の内側に位置することになる部分が、操作部３５の後部に連接する略板状のベース部１２ｘであり、ベース部１２ｘは略長方形を成している。ベース部１２ｘの内側（背面側）には、アンロックボタンスプリング２１（図２）が嵌入されるための環状溝３６が設けられている。操作部３５は使用者に押圧されて押圧方向３４の方向（後方）に可動する。
【００３５】
ベース部１２ｘにおいてピン１６に近い側の部分にはピン１６を駆動するための駆動リブ３３がベース部１２ｘと一体に形成されている。ベース部１２ｘには可動方向である押圧方向３４に平行な４本の摺動部Ｓ（Ｓ１、Ｓ２、Ｓ３、Ｓ４）がベース部１２ｘに一体的に形成されている。
【００３６】
４本の摺動部Ｓのうち第１の摺動部Ｓ１及び第２の摺動部Ｓ２は、押圧方向３４から見て、環状溝３６（ないし操作部３５）に対して駆動リブ３３に近い側に位置する。一方、第３の摺動部としての２本の摺動部Ｓ３、Ｓ４は、押圧方向３４から見て、環状溝３６（ないし操作部３５）に対して駆動リブ３３から遠い側に位置する。摺動部Ｓ１、Ｓ３が上側、摺動部Ｓ２、Ｓ４が下側に位置する。特に、第１の摺動部Ｓ１と第２の摺動部Ｓ２とは駆動リブ３３を挟み上下に配置されている。詳細は図４及び図５で後述するが、摺動部Ｓ１〜Ｓ４は、ボタン１２が前後方向に可動する際に前カバー補助部材２０の後述するガイド部Ｇに動作がガイドされる部分である。そのうち摺動部Ｓ１、Ｓ２が主たる摺動部であり、摺動部Ｓ３、Ｓ４は補助的な摺動部である。
【００３７】
図３（ｂ）に示す位置３８は、操作部３５より後方に伸びる第１の摺動部Ｓ１の後端位置を示している。位置３７は、摺動部Ｓ３の後端位置を示している。左右方向においてピン１６に近い側の第１の摺動部Ｓ１の摺動長さは、ピン１６に遠い側の摺動部Ｓ３の摺動長さより長い。摺動部Ｓ１、Ｓ２の摺動長さは等しく設定されるとともに、摺動部Ｓ３、Ｓ４の摺動長さも等しく設定される。従って、摺動部Ｓ２と摺動部Ｓ４との摺動長さの大小関係は摺動部Ｓ１と摺動部Ｓ３との摺動長さの大小関係と同様である。すなわち、摺動部Ｓ１〜Ｓ４の後端位置は駆動リブ３３の後端面３３ａより後方にあり、且つ、ピン１６の近傍で駆動リブ３３を挟み上下に配置される２本の摺動部Ｓ１、Ｓ３の摺動長さは摺動部Ｓ２、Ｓ４の摺動長さより長い構成となっている。
【００３８】
図４は、前カバー補助部材２０に取り付けられたアンロックボタン１２及びその周辺を背面側から見た図である。図５（ａ）は、図４のＡ−Ａ線に沿う断面図であり、ボタン１２の非操作状態を示す。図５（ｂ）は、図４のＢ−Ｂ線に沿う断面図であり、ボタン１２の押し込み状態を示す。
【００３９】
図５（ａ）に示すように、ピン１６は基部４５に固定される。ピン１６は、後方に延びる摺動軸１６ａを有し、摺動軸１６ａの周りにレンズアンロックピンスプリング２４が巻装される。レンズアンロックピンスプリング２４によって、基部４５と一体にピン１６が突出方向（前方）に付勢される。基部４５と一体の被駆動部４２がボタン１２の側に延設され、被駆動部４２が駆動リブ３３の背後に位置する。
【００４０】
ボタン１２の環状溝３６にアンロックボタンスプリング２１が嵌入され、ボタン１２が突出方向（前方）に付勢される。操作部３５の軸中心Ｃ０は、コイルスプリングであるアンロックボタンスプリング２１の軸中心と一致している。ボタン１２の操作部３５を押下操作すると、アンロックボタンスプリング２１に抗して押圧方向３４に押し込まれる。すると、ボタン１２の駆動リブ３３はピン１６の被駆動部４２に当接し、被駆動部４２を後方に駆動する。駆動リブ３３と被駆動部４２との当接領域の中心を当接部ＰＳ（図４、図５（ｂ））とする。
【００４１】
被駆動部４２は駆動リブ３３に駆動されて矢印４１の方向に動作し、被駆動部４２と一体にピン１６が矢印４１に平行な矢印４３の方向に動作する。これにより、ピン１６はボタン１２に連動して後方に可動する。押圧方向３４、矢印４１、４３の方向はいずれも後方である。
【００４２】
ここでピン１６はレンズアンロックピンスプリング２４によって付勢されているので、ボタン１２が前方から押される動作において駆動リブ３３には反力として矢印４１と反対方向の力が作用する。よって操作部３５には、駆動リブ３３と被駆動部４２との当接部ＰＳを支点として傾く力（回転モーメント）が図５（ｂ）に示す矢印４４の方向に働く。しかし、主に摺動部Ｓ１、Ｓ２によって、操作部３５が傾くことを防止している。
【００４３】
図４に示すように、操作部３５の軸中心Ｃ０の方向から見て（背面視で）、４本の摺動部Ｓ１、Ｓ２、Ｓ３、Ｓ４はベース１２ｘの略外形である四角形の各頂点となる位置に配置される。また、摺動部Ｓ１、Ｓ２、Ｓ３、Ｓ４は背面視でそれぞれＬ字形状をなしている。前カバー補助部材２０には、ボタン１２の摺動動作を案内する４箇所のガイド部Ｇ（Ｇ１、Ｇ２、Ｇ３、Ｇ４）が設けられている。ガイド部Ｇ１、Ｇ２、Ｇ３、Ｇ４は、ボタン１２の４本の摺動部Ｓ１、Ｓ２、Ｓ３、Ｓ４に対応し、軸中心Ｃ０の方向から見て四角形の頂点の位置に配置され、それぞれＬ字形状をなしている。
【００４４】
押圧方向３４から見て、摺動部Ｓ１、Ｓ２、Ｓ３、Ｓ４は、操作部３５の投影面の外側に配置される。ガイド部Ｇ１、Ｇ２、Ｇ３、Ｇ４は、軸中心Ｃ０を中心とした摺動部Ｓ１、Ｓ２、Ｓ３、Ｓ４の外側に配置される。これらにより、従来（図７）のようにアンロックボタン１２の摺動軸７１を操作部３５の投影面の内側に配置した構成に比し、ボタン１２の安定動作を確保しつつも薄型化に有利となっている。
【００４５】
摺動部Ｓ１、Ｓ２、Ｓ３、Ｓ４は各々、上または下、左または右の、２箇所の摺動面を有している。すなわち、摺動部Ｓ１は、摺動面Ｓ１ａ、Ｓ１ｂでガイド部Ｇ１に摺接する。同様に、摺動部Ｓ２、Ｓ３、Ｓ４は、ガイド部Ｇ２、Ｇ３、Ｇ４に対して、摺動面Ｓ２ａ、Ｓ２ｂ、Ｓ３ａ、Ｓ３ｂ、Ｓ４ａ、Ｓ４ｂで摺接する。
【００４６】
ここで、摺動面Ｓ１ａ、Ｓ２ａ、Ｓ３ａ、Ｓ４ａは、押圧方向３４から見て当接部ＰＳと軸中心Ｃ０とを結ぶ線分に略垂直な面内で、対応するガイド部Ｇに対して摺動する。言い換えれば、摺動面Ｓ１ａ、Ｓ２ａ、Ｓ３ａ、Ｓ４ａは、当接部ＰＳと軸中心Ｃ０とを含む仮想平面に略垂直で且つ軸中心Ｃ０に略平行な面内で、対応するガイド部Ｇに対して摺動する。
【００４７】
具体的には、前後及び上下に平行な面内で、摺動面Ｓ１ａ、Ｓ２ａはガイド部Ｇ１、Ｇ２に対して左側から当接し、摺動面Ｓ３ａ、Ｓ４ａはガイド部Ｇ３、Ｇ４に対して右側から当接する。これらにより、ボタン１２は左右方向に対して動作がガイドされ、左右方向への傾きが抑制される。
【００４８】
また、摺動面Ｓ１ｂ、Ｓ２ｂ、Ｓ３ｂ、Ｓ４ｂは、押圧方向３４から見て当接部ＰＳと軸中心Ｃ０とを結ぶ線分と押圧方向３４の双方に平行な面内で、対応するガイド部Ｇに対して摺動する。言い換えれば、摺動面Ｓ１ｂ、Ｓ２ｂ、Ｓ３ｂ、Ｓ４ｂは、上記仮想平面に平行な面内で、対応するガイド部Ｇに対して摺動する。
【００４９】
具体的には、前後及び左右に平行な面内（水平面内）で、摺動面Ｓ１ｂ、Ｓ２ｂはガイド部Ｇ１、Ｇ２に対してそれぞれ下側、上側から当接し、摺動面Ｓ３ｂ、Ｓ４ｂはガイド部Ｇ３、Ｇ４に対してそれぞれ下側、上側から当接する。これらにより、ボタン１２は上下方向に対して動作がガイドされ、上下方向への傾きが抑制される。
【００５０】
また、各摺動面には左右、上下を向くものが含まれるので、各ガイド部Ｇとの摺動によって、軸中心Ｃ０を中心としたボタン１２の回転を規制する役割も果たされる。
【００５１】
上述したように、操作部３５の軸中心Ｃ０はアンロックボタンスプリング２１の軸中心と略一致し、且つ４本の摺動部Ｓ１、Ｓ２、Ｓ３、Ｓ４が成す四角形の内側にある。押圧方向３４から見た摺動部Ｓ１〜Ｓ４の位置を特定する際、例えば、各摺動部Ｓの投影図形の図心とする。操作部３５の軸中心Ｃ０についても操作部３５の投影図形の図心として把握する。押圧方向３４から見て、４本の摺動部Ｓ１〜Ｓ４が成す四角形の対角線５４の交点は、操作部３５の軸中心Ｃ０と略一致する。これにより、ボタン１２の可動動作が安定する。
【００５２】
操作部３５が押圧されたとき、ボタン１２には当接部ＰＳを支点として矢印４４の方向に傾こうとする力が作用する。その際、図５（ｂ）に示すように、摺動部Ｓ１の摺動面Ｓ１ａはガイド部Ｇ１に摺接し、ボタン１２が傾こうとする力を主に後端位置５６にて受ける。摺動部Ｓ２の摺動面Ｓ２ａもこれと同様である。また、摺動部Ｓ３の摺動面Ｓ３ａはガイド部Ｇ３に摺接し、ボタン１２が傾こうとする力を主に前端位置５７にて受ける。摺動部Ｓ４の摺動面Ｓ４ａもこれと同様である。
【００５３】
ここで、駆動リブ３３に近い摺動部Ｓ１の摺動長さは、摺動部Ｓ３の摺動長さより長い。力を受ける摺動面Ｓ１ａは長く、その後端位置５６は、傾きの支点である当接部ＰＳより後方にある。当接部ＰＳからの後方への距離が長いことが、ボタン１２の傾き防止に有効となる。摺動部Ｓ２もこれと同様である。このように、摺動部Ｓ１、Ｓ２の摺動面Ｓ１ａ、Ｓ２ａの後端から、ボタン１２は駆動リブ３３の当接部ＰＳを支点として傾こうとする力に対する反力を受ける。その結果、操作部３５の押し込みの際にボタン１２が傾くことを効果的に抑制する。
【００５４】
ボタン１２の倒れ防止の観点からは、摺動部Ｓ１、Ｓ２の摺動長さは、長いことが好ましいことはもちろんである。ところが、当接部ＰＳに非常に近い位置でガイド部Ｇ１、Ｇ２によりガイドされるので、従来（図７）の摺動軸７１の摺動長さに比べれば短い摺動長さの摺動部Ｓ１、Ｓ２にて同程度の倒れ防止の効果が期待できる。その意味で、前後方向の省スペースが可能となる。
【００５５】
一方、駆動リブ３３から遠い摺動部Ｓ３、Ｓ４は、摺動部Ｓ１、Ｓ２に比べれば、ボタン１２の倒れ防止に果たす役割が小さいため、摺動部Ｓ３、Ｓ４の摺動長さは摺動部Ｓ１、Ｓ２の摺動長さより十分に短く設計することが可能である。摺動部Ｓ３、Ｓ４の摺動長さを短くすることで、その周辺の省スペースを図ることができる。
【００５６】
本実施の形態によれば、４本の摺動部Ｓ１〜Ｓ４を押圧方向３４から見て操作部３５の投影面の外側に配置したので、ボタン１２の操作感を損なうことなく各摺動部Ｓ１〜Ｓ４の摺動長さを短く設計することが可能となる。しかも、当接部ＰＳに近い側の第１の摺動部Ｓ１と第２の摺動部Ｓ２とは、駆動リブ３３を挟む位置に配置されるので、ボタン１２の倒れを効果的に抑制することが可能となる。よって、アンロックボタン１２の操作感の低下や操作時の傾きを抑制しつつ省スペースを図ることができる。
【００５７】
また、摺動部Ｓ１、Ｓ２が主な摺動部としてボタン１２の傾きを抑制するので、第３の摺動部である摺動部Ｓ３、Ｓ４の摺動長さを短くできる結果、摺動部Ｓ３、Ｓ４の周辺の前後方向における省スペースを図ることができる。
【００５８】
（第２の実施の形態）
本発明の第２の実施の形態では、第１の実施の形態に対して、第１の摺動部Ｓ１、第２の摺動部Ｓ２とそれらに対応するガイド部Ｇ１、Ｇ２の各形状が異なり、その他の構成は第１の実施の形態と同様である。
【００５９】
図６（ａ）は、第２の実施の形態におけるアンロックボタン１２の背面側の斜視図である。図６（ｂ）は、前カバー補助部材２０に取り付けられたアンロックボタン１２及びその周辺を背面側から見た図である。
【００６０】
第１の実施の形態では、摺動部Ｓ１、Ｓ２、ガイド部Ｇ１、Ｇ２はいずれも、背面視で軸中心Ｃ０の方向に凸のＬ字形状であった（図４参照）。これに対し第２の実施の形態では、摺動部Ｓ１、Ｓ２は円柱形の軸形状であり、ガイド部Ｇ１、Ｇ２は、軸中心Ｃ０の反対方向に凸のＬ字形状となっている。
【００６１】
第１の実施の形態と同様に、摺動部Ｓ１、Ｓ２は駆動リブ３３を挟み上下に配置される。また、摺動部Ｓ１の摺動面Ｓ１ａ、摺動部Ｓ２の摺動面Ｓ２ａは、前後及び上下に平行な面内で、ガイド部Ｇ１、Ｇ２に対して左側から当接する。摺動面Ｓ１ｂ、Ｓ２ｂは、前後及び左右に平行な面内（水平面内）で、ガイド部Ｇ１、Ｇ２に対してそれぞれ下側、上側から当接する。摺動部Ｓ１、Ｓ２の摺動長さや後端位置は第１の実施の形態において図３（ｂ）で説明したのと同様である。
【００６２】
本実施の形態によれば、アンロックボタン１２の操作感の低下や操作時の傾きを抑制しつつ省スペースを図ることに関し、第１の実施の形態と同様の効果を奏することができる。
【００６３】
なお、当接部ＰＳから受ける反力によってボタン１２が傾くことを抑制する観点からは、摺動面Ｓ１ａ、Ｓ２ａ、Ｓ３ａ、Ｓ４ａは、押圧方向３４から見て当接部ＰＳと軸中心Ｃ０とを結ぶ線分に略垂直であればよい。また、ボタン１２とピン１６とは左右に隣接する例を示したが、両者が上下、あるいは斜めに隣接する構成も除外されない。ボタン１２とピン１６との位置関係によって、ボタン１２が傾こうとする方向も変わるので、摺動面Ｓ１ａ、Ｓ２ａ等の向きもそれに応じて変えればよい。
【００６４】
また、摺動部Ｓ１〜Ｓ４、ガイド部Ｇ１〜Ｇ４の背面視の形状は問わず、Ｌ字形状や円形に限定されることもない。さらには、摺動面Ｓ１ａ、Ｓ２ａ等には、「面」という概念だけでなく「線」や「点の集合」という概念で把握できるものも含まれる。
【００６５】
ところで、複数の摺動部Ｓとしては、駆動リブ３３を挟む摺動部Ｓ１、Ｓ２を含めて３個以上を設ける。その際、押圧方向３４から見て各摺動部Ｓの位置を頂点とする多角形形状の投影面の内側にボタン１２の操作部３５が（当然に軸中心Ｃ０も）位置するように構成すればよい。
【００６６】
例えば、第１、第２の実施の形態では、補助的な摺動部である第３の摺動部として２本の摺動部Ｓ３、Ｓ４を例示したが、これを１本としてもよい。そうすれば省スペースにも寄与する。その場合、例えば押圧方向３４から見て当接部ＰＳと軸中心Ｃ０とを結ぶ線分の延長上に第３の摺動部を配置することが好ましい。
【００６７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６８】
１２  アンロックボタン
１５  レンズマウント
１６  レンズアンロックピン
１９  撮影レンズ
２０  前カバー補助部材
３３  駆動リブ
３５  操作部
４２  被駆動部
Ｓ１〜Ｓ４  摺動部
【図１】
2013246198.tif 000003
【図２】
2013246198.tif 000004
【図３】
2013246198.tif 000005
【図４】
2013246198.tif 000006
【図５】
2013246198.tif 000007
【図６】
2013246198.tif 000008
【図７】
2013246198.tif 000009